(57)【要約】      （修正有）【課題】簡便な構成で安全に、且つ保育者にとっても快適な育児が可能な抱っこ補助具を提供する。【解決手段】腰部に回して取り付けるベルトに連接された、剛性を有する腰回り部材と、蝶番により腰回り部材に連接され、上下に可動な、乳幼児の座面となる座面部材と、腰回り部材又は座面部材に設置され、略９０度反転可能な剛性を有する部品とを備え、抱っこに用いる場合は該反転可能な剛性を有する部品を反転させて座面部材を支えて座面と為して用いる。【選択図】図１
0003193025.tif 000002
【実用新案登録請求の範囲】
【請求項１】
乳幼児を抱っこして保育する際の抱っこ補助具であって、
腰部に回して取り付けるベルトに連接された、剛性を有する腰回り部材と、
蝶番により腰回り部材に連接され、上下に可動な、乳幼児の座面となる座面部材と、
腰回り部材又は座面部材に設置され、略９０度反転可能な剛性を有する部品とを備え、
抱っこに用いる場合は該反転可能な剛性を有する部品を反転させて座面部材を支えて座面と為して用い、
抱っこに用いない場合は該反転可能な剛性を有する部品を戻して座面部材を該蝶番により体表面と略平行な位置に下へ降ろして用いることを特徴とする、
抱っこ補助具。
【請求項２】
該抱っこ補助具は
さらに肩紐又は首掛け紐として用いるベルトを有することを特徴とする、
請求項１記載の抱っこ補助具。
【請求項３】
該肩紐又は首掛け紐として用いるベルトは
該座面部材の座面に対して裏面に設置された保持部位に通して設置され、
該肩紐又は首掛け紐として用いるベルトは外側から内側へ向けて通し、交差させずに両肩側へ引き出すように配置されたことを特徴とする、
請求項２記載の抱っこ補助具。
【請求項４】
該肩紐又は首掛け紐として用いるベルトは
該肩紐又は首掛け紐として用いるベルトの肩或いは首に当たる部分に、パッド部品を備えることを特徴とする、
請求項２又は３記載の抱っこ補助具。
【請求項５】
該座面部材は
金属製或いはプラスチック製であることを特徴とする、
請求項１記載の抱っこ補助具。
【請求項６】
該腰回り部材は
金属製或いはプラスチック製であることを特徴とする、
請求項１記載の抱っこ補助具。
【請求項７】
該腰回り部材は
その一部が腰部に整合するように湾曲していることを特徴とする、
請求項１乃至５記載の抱っこ補助具。
【請求項８】
該略９０度反転可能な剛性を有する部品は
金属製或いはプラスチック製であることを特徴とする、
請求項１記載の抱っこ補助具。
【考案の詳細な説明】
【技術分野】
【０００１】
本考案は、簡便な構成で安全に、且つ保育者にとっても快適な育児が可能な抱っこ補助具に関するものである。
【背景技術】
【０００２】
従来から、乳幼児の育児の際には布製のおんぶ紐や抱っこ紐が用いられている。
【先行技術文献】
【特許文献】
【０００３】
【特許文献１】特開２００３−２９００００号公報
【特許文献２】特開２０１０−２９２３６号公報
【特許文献３】特開平９−３０８５５１号公報
【考案の概要】
【考案が解決しようとする課題】
【０００４】
しかし、布製のおんぶ紐や抱っこ紐は乳幼児の体重が保育者にかかる部位が集中し、例えば肩に掛けた紐に荷重が集中して痛みを生じ、また疲れ易くなるといった課題があった。さらに、抱っこをしていない時に邪魔にならず、保育者にとってストレスの少ない着用性も求められていた。
【０００５】
これを解決するために、従来から様々な工夫が為されている。特許文献１及び特許文献２は抱っこ紐の構造を改良したものであるが、布製であるため乳幼児の体重は臀部の布に集中し、ひいては肩紐に荷重が集中していた。
【０００６】
また、特許文献３は抱っこした際に乳幼児の臀部がバッグの上板に載るように構成したもので、乳幼児の体重は腰ベルトに分散され、肩紐への荷重が軽減されて抱っこが容易になるものであるが、抱っこをしていない時にもバッグはその形状のままであり、保育者にとってストレスとなっていた。
【課題を解決するための手段】
【０００７】
本考案は、これらの課題を解決するために為されたものであって、乳幼児を抱っこして保育する際の抱っこ補助具に於いて、腰部に回して取り付けるベルトに連接された、剛性を有する腰回り部材と、蝶番により腰回り部材に連接され、上下に可動な、乳幼児の座面となる座面部材と、腰回り部材又は座面部材に設置され、略９０度反転可能な剛性を有する部品とを備え、抱っこに用いる場合は該反転可能な剛性を有する部品を反転させて座面部材を支えて座面と為して用い、抱っこに用いない場合は該反転可能な剛性を有する部品を戻して座面部材を該蝶番により体表面と略平行な位置に下へ降ろして用いるように構成されてなる。
【０００８】
また本考案に係る抱っこ補助具は、肩紐又は首掛け紐として用いるベルトを有し、その肩紐又は首掛け紐として用いるベルトは該座面部材の座面に対して裏面に設置された保持部位に通して設置され、該肩紐又は首掛け紐として用いるベルトは外側から内側へ向けて通し、交差させずに両肩側へ引き出すように配置されたことを特徴とする。また、該肩紐又は首掛け紐として用いるベルトの肩或いは首に当たる部分にはパッド部品を備えることを特徴とする。
【０００９】
また本考案に係る抱っこ補助具の腰回り部材は剛性を有し、金属製或いはプラスチック製であることを特徴とする。
【００１０】
また本考案に係る抱っこ補助具の座面部材は剛性を有し、金属製或いはプラスチック製であることを特徴とする。また本考案に係る抱っこ補助具の腰回り部材は剛性を有し、その一部が腰部に整合するように湾曲していることを特徴とする。
【００１１】
また本考案に係る抱っこ補助具の略９０度反転可能な剛性を有する部品は剛性を有し、、金属製或いはプラスチック製であることを特徴とする。
【考案の効果】
【００１２】
本考案の抱っこ補助具は、簡便な構成で安全に、且つ保育者にとっても快適な育児が可能な抱っこ補助具を実現し、乳幼児及び保育者の健康を保持し、さらに産業上もローコストで安全且つ有用な器具を実現出来るという利点がある。
【図面の簡単な説明】
【００１３】
【図１】図１は、本考案に係る抱っこ補助具の基本的な構成を示す図面代用写真である。（実施例）
【図２】図２は、本考案に係る抱っこ補助具の、裏面側の構成を示す図面代用写真である。
【図３】図３は、本考案に係る抱っこ補助具の、略９０度反転可能な剛性を有する部品による支持の構成を示す図面代用写真である。
【図４】図４は、本考案に係る抱っこ補助具の、略９０度反転可能な剛性を有する部品の支持点の構成を示す図面代用写真である。
【図５】図５は、本考案に係る抱っこ補助具の、略９０度反転可能な剛性を有する部品の蝶番部の構成を示す図面代用写真である。
【図６】図６は、本考案に係る抱っこ補助具の、肩紐を該座面部材の座面に対して裏面に設置された保持部位に通して設置する構成を示す図面代用写真である。
【図７】図７は、本考案に係る抱っこ補助具の、座面を用いた場合の使用状況を示す図面代用写真である。
【図８】図８は、本考案に係る抱っこ補助具の、座面を閉じた場合の使用状況を示す図面代用写真である。
【考案を実施するための形態】
【００１４】
以下、本考案を実施するための形態を図面を用いて説明する。
【実施例】
【００１５】
図１は、本考案に係る抱っこ補助具の基本的な構成を示す図面代用写真である。本考案は、乳幼児を抱っこして保育する際の抱っこ補助具に於いて、腰部に回して取り付けるベルトに連接された、剛性を有する腰回り部材と、蝶番により腰回り部材に連接され、上下に可動な、乳幼児の座面となる座面部材と、腰回り部材又は座面部材に設置され、略９０度反転可能な剛性を有する部品とを備え、抱っこに用いる場合は該反転可能な剛性を有する部品を反転させて座面部材を支えて座面と為して用い、抱っこに用いない場合は該反転可能な剛性を有する部品を戻して座面部材を該蝶番により体表面と略平行な位置に下へ降ろして用いるように構成されてなる。
【００１６】
図からわかるように、本考案に係る抱っこ補助具は上部に見える腰部に回して取り付けるベルトに連接された剛性を有する腰回り部材を有している。腰回り部材は、その剛性を確保するため金属製或いはプラスチック製であることが望ましい。また、本図に於いて明らかなように、その身体に接する部分は腰部に整合するように湾曲していることが望ましい。
【００１７】
また図からわかるように、本考案に係る抱っこ補助具は下部に見える座面部材を有している。座面その剛性を確保し、特に座面に保持する乳幼児の安全のために、金属製或いはプラスチック製であることが望ましい。
【００１８】
図２は、本考案に係る抱っこ補助具の、裏面側の構成を示す図面代用写真である。略９０度反転可能な剛性を有する部品は、実施例の場合座面側の裏面に設置されているが、腰回り部材の側に設置しても問題ない。かかる部材を開閉して、座面の使用位置での固定と収納時の解放を行うことが出来る。略９０度反転可能な剛性を有する部品は、強度的な問題から金属製或いはプラスチック製であることが望ましい。
【００１９】
また図２から、肩紐又は首掛け紐として用いるベルトの設置方法が見て取れる。肩紐又は首掛け紐として用いるベルトは該座面部材の座面に対して裏面に設置された保持部位に通して設置され、該肩紐又は首掛け紐として用いるベルトは外側から内側へ向けて通し、交差させずに両肩側へ引き出すように配置されたことを特徴とする。また、該肩紐又は首掛け紐として用いるベルトの肩或いは首に当たる部分にはパッド部品を備えることを特徴とする。かかる構成にすることにより、肩への負担が小さく、また乳幼児の保持の際にも乳幼児の胯や腿の部分の自由度が大きく、快適な抱っこが可能となる。
【００２０】
図４は、本考案に係る抱っこ補助具の、略９０度反転可能な剛性を有する部品の支持点の構成を示す図面代用写真である。このように支持点には留め具を有し、座面を使用時に誤って座面が落下しないようにすることが望ましい。
【００２１】
図５は、本考案に係る抱っこ補助具の、略９０度反転可能な剛性を有する部品の蝶番部の構成を示す図面代用写真である。また、図６は本考案に係る抱っこ補助具の、肩紐を該座面部材の座面に対して裏面に設置された保持部位に通して設置する構成を示す図面代用写真である。該座面部材の裏面に部材を配置して、略９０度反転可能な剛性を有する部品が他の部品と干渉せずに収納可能な構成とすることが出来る。
【００２２】
図７は、本考案に係る抱っこ補助具の、座面を用いた場合の使用状況を示す図面代用写真である。また、図８は本考案に係る抱っこ補助具の、座面を閉じた場合の使用状況を示す図面代用写真である。斯様に、容易に開閉して使用が可能であり、また収納時には腰回りで邪魔になることなく装着し続けられる抱っこ補助具が実現された。
【００２３】
以上述べて来たように、本考案の抱っこ補助具は、簡便な構成で安全に、且つ保育者にとっても快適な育児が可能な抱っこ補助具を実現し、乳幼児及び保育者の健康を保持し、さらに産業上もローコストで安全且つ有用な器具を実現出来、以て社会と産業に貢献しうるものである。
【図１】
0003193025.tif 000003
【図２】
0003193025.tif 000004
【図３】
0003193025.tif 000005
【図４】
0003193025.tif 000006
【図５】
0003193025.tif 000007
【図６】
0003193025.tif 000008
【図７】
0003193025.tif 000009
【図８】
0003193025.tif 000010